(57)【要約】【課題】地面が凸凹であっても容易に設置でき、且つ作業員が縦梁や横梁の上に上らなくとも作業ができる太陽光発電パネル用架台を提供する。【解決手段】地面に設置された複数の基礎１１，１２と、基礎１１の上に立設された前立柱１３と、基礎１２の上に立設され前立柱１３よりも高さが高い後立柱１４と、前立柱１３の上端部と後立柱１４の上端部とを連結する複数の縦梁１５と、縦梁１５の上に設けられ縦梁１５に対して直角方向に配置された複数の横梁１６と、縦梁１５に対して斜め方向に配置され縦梁１５と基礎１２とを連結する斜め支柱１７とを備えた太陽光発電パネル用架台であって、前立柱１３、後立柱１４、及び斜め支柱１７を伸縮自在とし、且つ前立柱１３、後立柱１４、及び斜め支柱１７を伸縮させたときの任意の位置で伸縮をロックさせるロック部材を設けた。【選択図】図１０
2016105680.tif 000002
【特許請求の範囲】
【請求項１】
地面に設置された複数の基礎と、
該基礎の上に立設された前立柱と、
前記基礎の上に立設され前記前立柱よりも高さが高い後立柱と、
前記前立柱の上端部と前記後立柱の上端部とを連結する複数の縦梁と、
前記縦梁の上に設けられ該縦梁に対して直角方向に配置された複数の横梁と、
前記縦梁に対して斜め方向に配置され該縦梁と前記基礎とを連結する斜め支柱とを備えた太陽光発電パネル用架台であって、
前記前立柱、前記後立柱、及び前記斜め支柱を伸縮自在とし、且つ前記前立柱、前記後立柱、及び前記斜め支柱を伸縮させたときの任意の位置で伸縮をロックさせるロック部材を設けたことを特徴とする太陽光発電パネル用架台。
【請求項２】
前記前立柱、前記後立柱、及び前記斜め支柱は、前記基礎の上に立設された筒状の下部柱部と、該下部柱部の上端部に挿入され上端部が前記縦梁に連結された筒状の上部柱部とから成り、
前記基礎が同一水平面内に設置されていない場合に、前記ロック部材は、前記上部柱部が任意の長さ挿入された前記下部柱部の上部を固定することで、地上面に対する前記縦梁の角度を所定の大きさに設定することを特徴とする請求項１に記載の太陽光発電パネル用架台。
【請求項３】
前記前立柱、前記後立柱、及び前記斜め支柱は、四角形状の筒状部材で形成されていることを特徴とする請求項１又は２に記載の太陽光発電パネル用架台。
【請求項４】
前記斜め支柱の上部柱部の上端部には前記縦梁に沿ってスライド可能なスライド部材が設けられ、
前記斜め支柱の下部柱部の下端部は前記基礎に回動自在に取り付けられ、且つ前記斜め支柱の上部柱部の上端部は前記スライド部材に回動自在に取り付けられていることを特徴とする請求項１〜３のいずれか一項に記載の太陽光発電パネル用架台。
【請求項５】
前記横梁の側面には当該横梁の軸方向に沿って突状が設けられ、且つ太陽光発電パネルの上下両端には支持部材が取り付けられ、当該支持部材の下部先端が前記突状の上に載置されているとともに、
前記突状に載置された前記支持部材の下部先端を前記突状と共に挟持する挟持部材が設けられたことを特徴とする請求項１〜４のいずれか一項に記載の太陽光発電パネル用架台。
【発明の詳細な説明】
【技術分野】
【０００１】
本発明は、太陽光発電パネルが設置される架台に関する。
【背景技術】
【０００２】
従来の太陽光発電パネル用架台は、地面に設置された複数の基礎と、基礎の上に立設された前立柱と、基礎の上に立設され前立柱よりも高さが高い後立柱とを有する。また、前立柱の上端部と後立柱の上端部とは複数の縦梁で連結され、これら縦梁の上に縦梁に対して直角方向に複数の横梁が配置されている。さらに、架台強度を増すために、縦梁に対して斜め方向に配置され縦梁と基礎とを連結する斜め支柱が設けられている（例えば、特許文献１参照）。
【先行技術文献】
【特許文献】
【０００３】
【特許文献１】特開２０１４−１６３１４０号公報
【発明の概要】
【発明が解決しようとする課題】
【０００４】
しかしながら、上記従来技術では、基礎を設置するために地面を平らに整地しなければならず、手間が掛かってコストアップの要因となっていた。
【０００５】
また、従来の技術では、太陽光発電パネルを架台に取り付ける際に、作業員が縦梁や横梁の上に上って作業しなければならず、この場合も手間が掛かるという問題がある。
【０００６】
本発明の課題は、地面が凸凹であっても容易に設置でき、且つ作業員が縦梁や横梁の上に上らなくとも作業ができる太陽光発電パネル用架台を提供することにある。
【課題を解決するための手段】
【０００７】
上記課題を解決するために、本発明は、地面に設置された複数の基礎と、該基礎の上に立設された前立柱と、前記基礎の上に立設され前記前立柱よりも高さが高い後立柱と、前記前立柱の上端部と前記後立柱の上端部とを連結する複数の縦梁と、前記縦梁の上に設けられ該縦梁に対して直角方向に配置された複数の横梁と、前記縦梁に対して斜め方向に配置され該縦梁と前記基礎とを連結する斜め支柱とを備えた太陽光発電パネル用架台であって、前記前立柱、前記後立柱、及び前記斜め支柱を伸縮自在とし、且つ前記前立柱、前記後立柱、及び前記斜め支柱を伸縮させたときの任意の位置で伸縮をロックさせるロック部材を設けたことを特徴とする。
【発明の効果】
【０００８】
本発明によれば、前立柱、後立柱、及び斜め支柱を伸縮自在とし、且つ前立柱、後立柱、及び斜め支柱を伸縮させたときの任意の位置で伸縮をロックさせるロック部材を設けたので、地面が凸凹であっても太陽光発電パネル用架台を容易に設置することができる。
【０００９】
また、ロック部材等の操作を縦梁や横梁の下側で行うことができ、作業員が縦梁や横梁の上に上る必要がなくなる。
【図面の簡単な説明】
【００１０】
【図１】本発明の実施例１に係る太陽光発電パネル用架台の全体構成図である。
【図２】図１に示した太陽光発電パネル用架台の一部を示した図である。
【図３】図２のＡ部の拡大図である。
【図４】取付部材の斜視図である。
【図５】固定部材の主要部の斜視図である。
【図６】固定部材の付属部の斜視図である。
【図７】付属部を主要部に取り付けたときの水平断面図である。
【図８】斜め支柱を回動自在に支持する付属部の構成を説明した図である。
【図９】前立柱、後立柱、及び斜め支柱の詳細構成を示した図である。
【図１０】後立柱及び斜め支柱の高さは変えずに、前立柱の高さだけを高くした場合の図である。
【図１１】前立柱の高さは変えずに、後立柱及び斜め支柱の高さを高くした場合の図である。
【図１２】実施例２による太陽光発電パネル用架台の一部を示した図である。
【図１３】図１２のＢ部の拡大図である。
【図１４】後立柱及び第１の斜め支柱の高さは変えずに、第２の斜め支柱及び前立柱の高さを高くした場合の図である。
【図１５】前立柱及び第２の斜め支柱の高さは変えずに、第１の斜め支柱及び後立柱の高さを高くした場合の図である。
【図１６】実施例３による太陽光発電パネル用架台の斜視図である。
【図１７】太陽光発電パネルを挟持部材を用いて横梁に固定する様子を示した図である。
【図１８】挟持部材が太陽光発電パネルの支持部材を挟持する様子を示した斜視図である。
【図１９】挟持部材の断面図である。
【図２０】挟持部材の拡大斜視図である。
【発明を実施するための形態】
【００１１】
以下、本発明の実施例を図面に従って説明する。
【実施例】
【００１２】
《実施例１》
図１は、本発明の実施例１に係る太陽光発電パネル用架台の全体構成を示している。この太陽光発電パネル用架台１０は、地面に設置された基礎１１，１２と、基礎１１の上に立設された前立柱１３と、基礎１２の上に立設され前立柱１３よりも高さが高い後立柱１４と、前立柱１３の上端部と後立柱１４の上端部とを連結する複数の縦梁１５と、縦梁１５の上に設けられ縦梁１５に対して直角方向に配置された複数の横梁１６と、縦梁１５に対して斜め方向に配置され縦梁１５と基礎１１とを連結する斜め支柱１７とを備えている。また、隣接する２つの後立柱１４は、筋交い１８’で互いに連結されている。
【００１３】
そして、図示していない太陽光発電パネルが、複数の横梁１６の上に配置され、当該複数の横梁１６に取り付けられ固定される。
【００１４】
本実施例では、地上面が凸凹していて、基礎１１，１２の各々が同一水平面に配置されておらず、前立柱１３及び後立柱１４の高さは様々である。すなわち、一つの縦梁１５においては、後立柱１４は前立柱１３よりも高さが高いが、隣接する複数の縦梁１５を含めて前立柱１３と後立柱１４とを比べると、後立柱１４が前立柱１３よりも高さが低い場合もある。つまり、後側の基礎１２が高い位置にあれば後立柱１４の長さは短くなり、前側の基礎１１が低い位置にあれば前立柱１３の長さは長くなって、後立柱１４が前立柱１３よりも高さが低い場合となる。
【００１５】
図２は、図１に示した太陽光発電パネル用架台１０のうち、基礎１１，１２、前立柱１３、後立柱１４、縦梁１５、及び斜め支柱１７を示した図である。後立柱１４が前立柱１３よりも高さが高いので、縦梁１５は地面Ｇに対して傾斜しており、横梁１６（図１参照）の上に固定される太陽光発電パネルに太陽光が当たりやすくなるようになっている。なお、図２においては、地面Ｇは水平で、基礎１１，１２は同一高さに設置されている。
【００１６】
前立柱１３の上端部は取付部材１８を介して、後立柱１４の上端部は取付部材１９を介して縦梁１５にそれぞれ取り付けられている。また、斜め支柱１７の上端部は取付部材２０を介して縦梁１５に取り付けられている。
【００１７】
図３は図２のＡ部の拡大図、図４は取付部材２０の斜視図である。縦梁１５は断面四角形の筒型形状を成しており、その側面には、図３に示すように、ガイド溝１５Ａが縦梁１５の軸方向に沿って形成されている。ガイド溝１５Ａは、断面が大略コ字状に形成されている。
【００１８】
取付部材２０は、図４に示すように断面Ｈ型を成しており、その側壁２０Ａの上部には２つのボルト貫通孔２０Ｂが、下部には１つのボルト貫通孔２０Ｃがそれぞれ形成されている。取付部材２０は、図３に示すように、側壁２０Ａが平行四辺形を成している。取付部材２０を縦梁１５に取り付ける際には、ボルト２１Ｂをボルト貫通孔２０Ｂに挿通させてから、ガイド溝１５Ａの内部に配置されたナット（図示省略）に螺合させて締め付ける。
【００１９】
なお、ガイド溝１５Ａの内部に配置されたナットの外径は、断面コ字状のガイド溝１５Ａの開口部の幅よりは大きく、ガイド溝１５Ａの奧部の溝幅よりも小さくなっている。つまり、前記ナットはガイド溝１５Ａに沿って移動可能であるが、ガイド溝１５Ａから外れて落ちることはない。
【００２０】
そして、ボルト２１Ｂを緩めれば、取付部材２０を縦梁１５に軸方向に沿ってスライドさせることができるとともに、ボルト２１Ｂを締め付ければ、取付部材２０を縦梁１５の任意の位置に強固に固定することができる。
【００２１】
また、取付部材２０の下部に設けられたボルト貫通孔２０Ｃには、ボルト２１Ｃが挿通されている。このボルト２１Ｃは斜め支柱１７の上端部を取付部材２０に取り付けるためのものである。斜め支柱１７の上端部を取付部材２０に取り付ける構成については後述する。
【００２２】
図２に示すように、前立柱１３の上端部を縦梁１５に取り付けるための取付部材１８、及び後立柱１４の上端部を縦梁１５に取り付けるための取付部材１９も、それらの側壁は、平行四辺形を成している。すなわち、取付部材１８，１９は取付部材２０と略同様な構成となっている。
【００２３】
基礎１１の上面にはアンカーボルト（図示省略）で固定された固定部材２３が設けられている。同様に、基礎１２の上面にはアンカーボルト（図示省略）で固定された固定部材２４が設けられている。固定部材２４は、図５に示す主要部２５と図６に示す付属部２６とで構成されている。固定部材２３は、図５に示す主要部２５のみで構成されている。
【００２４】
主要部２５には、図５に示すように、挿入口２５Ａが形成されている。そして、後立柱１４の下部が挿入口２５Ａに挿入されて、後立柱１４が基礎１２に立設される。また、主要部２５の側面には、付属部２６が取り付けられる取付面２５Ｂが設けられている。この取付面２５Ｂにはボルト貫通孔２５Ｃが形成されている。
【００２５】
また、付属部２６は、図６に示すように、水平断面が略コ字状を成し、左右の両側壁２６Ａ，２６Ｂにそれぞれボルト貫通孔２６Ｃ，２６Ｄが形成されている。また、付属部２６には、両側壁２６Ａ，２６Ｂの間の中央壁２６Ｅにボルト貫通孔２６Ｆ（図７参照）が形成されている。
【００２６】
付属部２６を主要部２５に取り付ける際には、主要部の取付面２５Ｂに付属部２６の中央壁２６Ｅを合致させて、中央壁２６Ｅのボルト貫通孔２６Ｆ及び取付面２５Ｂのボルト貫通孔２５Ｃにボルトを挿通させてから、ナットに螺合させて締め付ける。なお、これらボルトやナットは図では省略されている。図７は、付属部２６を主要部２５に取り付けたときの水平断面図である。
【００２７】
基礎１１に固定された固定部材２３においては、付属部２６はなく主要部２５だけで構成されている。そして、主要部２５に形成された挿入口２５Ａに前立柱１３の下部が挿入されて、前立柱１３が基礎１１に立設される。
【００２８】
斜め支柱１７については、その上部は、上述したように取付部材２０に取り付けられている。斜め支柱１７の下部は、図８に示すように、固定部材２４の付属部２６に取り付けられる。すなわち、斜め支柱１７は断面四角形の筒型形状を成しており、互いに対向する側壁２７，２８にはそれぞれボルト貫通孔２７Ａ，２８Ａが形成されており、これらボルト貫通孔２７Ａ，２８Ａ、及び付属部２６の両側壁２６Ａ，２６Ｂにそれぞれ形成されたボルト貫通孔２６Ｃ，２６Ｄにボルト２９を挿通してから、ボルト２９にナット３０を螺合することにより、斜め支柱１７の下部は、固定部材２４の付属部２６に取り付けられる。この場合、斜め支柱１７はボルト２９を中心に回動自在に取り付けられている。
【００２９】
本実施例においては、前立柱１３、後立柱１４、及び斜め支柱１７が伸縮自在で、且つ前立柱１３、後立柱１４、及び斜め支柱１７を伸縮させたときに任意の位置で、その伸縮をロックさせるロック部材が設けられている。
【００３０】
前立柱１３は、図９に示すように、基礎１１(図２参照)の上に立設された断面四角形の筒状の下部柱部１３Ａと、下部柱部１３Ａの上端部に挿入され上端部が取付部材１８を介して縦梁１５に連結された断面四角形の筒状の上部柱部１３Ｂとから成っている。
【００３１】
下部柱部１３Ａには、相対向する側面１３ＡＡ，１３ＡＢの上部にボルト貫通孔１３ＡＣ，１３ＡＤがそれぞれ形成されている。ボルト貫通孔１３ＡＣ，１３ＡＤは、下部柱部１３Ａの軸方向に沿って２個ずつ形成されている。
【００３２】
また、上部柱部１３Ｂには、相対向する側面１３ＢＡ，１３ＢＢにボルト貫通孔１３ＢＣ，１３ＢＤがそれぞれ形成されている。ボルト貫通孔１３ＢＣ，１３ＢＤは、上部柱部１３Ｂの軸方向に沿って多数形成されている。
【００３３】
そして、高さが低い前立柱１３とする場合は、上部柱部１３Ｂを下部柱部１３Ａに深く挿入してから、上部柱部１３Ｂの上部に形成されたボルト貫通孔１３ＢＣ，１３ＢＤ、及び下部柱部１３Ａのボルト貫通孔１３ＡＣ，１３ＡＤにボルト３１を挿通した後、当該ボルト３１をナット３２に螺合させて締め付ける。
【００３４】
高さが高い前立柱１３とする場合は、上部柱部１３Ｂを下部柱部１３Ａに浅く挿入してから、上部柱部１３Ｂの下部に形成されたボルト貫通孔１３ＢＣ，１３ＢＤ、及び下部柱部１３Ａのボルト貫通孔１３ＡＣ，１３ＡＤにボルト３１を挿通した後、当該ボルト３１をナット３２に螺合させて締め付ける。
【００３５】
また、高さが中位の前立柱１３とする場合は、上部柱部１３Ｂを下部柱部１３Ａに中位の深さに挿入してから、上部柱部１３Ｂの中位に形成されたボルト貫通孔１３ＢＣ，１３ＢＤ、及び下部柱部１３Ａのボルト貫通孔１３ＡＣ，１３ＡＤにボルト３１を挿通した後、当該ボルト３１をナット３２に螺合させて締め付ける。
【００３６】
このように、本実施例においては、上部柱部１３Ｂを下部柱部１３Ａに任意の深さに挿入することで、前立柱１３の高さを任意の高さに設定することができる。
【００３７】
ここで、下部柱部１３Ａに形成されたボルト貫通孔１３ＡＣ，１３ＡＤ、上部柱部１３Ｂに形成されたボルト貫通孔１３ＢＣ，１３ＢＤ、及びボルト３１及びナット３２はロック部材を構成している。
【００３８】
後立柱１４は、図９に示すように、基礎１２(図２参照)の上に立設された断面四角形の筒状の下部柱部１４Ａと、下部柱部１４Ａの上端部に挿入され上端部が取付部材１９を介して縦梁１５に連結された断面四角形の筒状の上部柱部１４Ｂとから成っている。
【００３９】
下部柱部１４Ａには、相対向する側面１４ＡＡ，１４ＡＢの上部にボルト貫通孔１４ＡＣ，１４ＡＤがそれぞれ形成されている。ボルト貫通孔１４ＡＣ，１４ＡＤは、下部柱部１４Ａの軸方向に沿って２個ずつ形成されている。
【００４０】
また、上部柱部１４Ｂには、相対向する側面１４ＢＡ，１４ＢＢにボルト貫通孔１４ＢＣ，１４ＢＤがそれぞれ形成されている。ボルト貫通孔１４ＢＣ，１４ＢＤは、上部柱部１４Ｂの軸方向に沿って多数形成されている。
【００４１】
そして、高さが低い後立柱１４とする場合は、上部柱部１４Ｂを下部柱部１４Ａに深く挿入してから、上部柱部１４Ｂの上部に形成されたボルト貫通孔１４ＢＣ，１４ＢＤ、及び下部柱部１４Ａのボルト貫通孔１４ＡＣ，１４ＡＤにボルト３１を挿通した後、当該ボルト３１をナット３２に螺合させて締め付ける。
【００４２】
高さが高い後立柱１４とする場合は、上部柱部１４Ｂを下部柱部１４Ａに浅く挿入してから、上部柱部１４Ｂの下部に形成されたボルト貫通孔１４ＢＣ，１４ＢＤ、及び下部柱部１４Ａのボルト貫通孔１４ＡＣ，１４ＡＤにボルト３１を挿通した後、当該ボルト３１をナット３２に螺合させて締め付ける。
【００４３】
また、高さが中位の後立柱１４とする場合は、上部柱部１４Ｂを下部柱部１４Ａに中位の深さに挿入してから、上部柱部１４Ｂの中位に形成されたボルト貫通孔１４ＢＣ，１４ＢＤ、及び下部柱部１４Ａのボルト貫通孔１４ＡＣ，１４ＡＤにボルト３１を挿通した後、当該ボルト３１をナット３２に螺合させて締め付ける。
【００４４】
このように、本実施例においては、上部柱部１４Ｂを下部柱部１４Ａに任意の深さに挿入することで、後立柱１４の高さを任意の高さに設定することができる。
【００４５】
ここで、下部柱部１４Ａに形成されたボルト貫通孔１４ＡＣ，１４ＡＤ、上部柱部１４Ｂに形成されたボルト貫通孔１４ＢＣ，１４ＢＤ、及びボルト３１及びナット３２はロック部材を構成している。
【００４６】
斜め支柱１７は、図９に示すように、基礎１１(図２参照)の上に立設された断面四角形の筒状の下部柱部１７Ａと、下部柱部１７Ａの上端部に挿入され上端部が取付部材２０を介して縦梁１５に連結された断面四角形の筒状の上部柱部１７Ｂとから成っている。
【００４７】
下部柱部１７Ａには、相対向する側面１７ＡＡ，１７ＡＢの上部にボルト貫通孔１７ＡＣ，１７ＡＤがそれぞれ形成されている。ボルト貫通孔１７ＡＣ，１７ＡＤは、下部柱部１７Ａの軸方向に沿って２個ずつ形成されている。
【００４８】
また、上部柱部１７Ｂには、相対向する側面１７ＢＡ，１７ＢＢにボルト貫通孔１７ＢＣ，１７ＢＤがそれぞれ形成されている。ボルト貫通孔１７ＢＣ，１７ＢＤは、上部柱部１７Ｂの軸方向に沿って多数形成されている。
【００４９】
そして、高さが低い斜め支柱１７とする場合は、上部柱部１７Ｂを下部柱部１７Ａに深く挿入してから、上部柱部１７Ｂの上部に形成されたボルト貫通孔１７ＢＣ，１７ＢＤ、及び下部柱部１７Ａのボルト貫通孔１７ＡＣ，１７ＡＤにボルト３１を挿通した後、当該ボルト３１をナット３２に螺合させて締め付ける。
【００５０】
高さが高い斜め支柱１７とする場合は、上部柱部１７Ｂを下部柱部１７Ａに浅く挿入してから、上部柱部１７Ｂの下部に形成されたボルト貫通孔１７ＢＣ，１７ＢＤ、及び下部柱部１７Ａのボルト貫通孔１７ＡＣ，１７ＡＤにボルト３１を挿通した後、当該ボルト３１をナット３２に螺合させて締め付ける。
【００５１】
また、高さが中位の斜め支柱１７とする場合は、上部柱部１７Ｂを下部柱部１７Ａに中位の深さに挿入してから、上部柱部１７Ｂの中位に形成されたボルト貫通孔１７ＢＣ，１７ＢＤ、及び下部柱部１７Ａのボルト貫通孔１７ＡＣ，１７ＡＤにボルト３１を挿通した後、当該ボルト３１をナット３２に螺合させて締め付ける。
【００５２】
このように、本実施例においては、上部柱部１７Ｂを下部柱部１７Ａに任意の深さに挿入することで、斜め支柱１７の高さを任意の高さに設定することができる。
【００５３】
ここで、下部柱部１７Ａに形成されたボルト貫通孔１７ＡＣ，１７ＡＤ、上部柱部１７Ｂに形成されたボルト貫通孔１７ＢＣ，１７ＢＤ、及びボルト３１及びナット３２はロック部材を構成している。
【００５４】
なお、斜め支柱１７の上部柱部１７Ｂは、図３に示すように、取付部材２０に設けられたブラケット３３を介して当該取付部材２０に取り付けられている。ブラケット３３は四角形の筒型形状を成し、その上部がボルト２１Ｃによって取付部材２０に、下部がボルト３３Ａによって斜め支柱１７の上部柱部１７Ｂの上部にそれぞれ連結されている。前立柱１３の上部柱部１３Ｂを取付部材１８に接続する構成、及び後立柱１４の上部柱部１４Ｂを取付部材１９に接続する構成も略同様である。なお、斜め支柱１７はボルト２１Ｃを中心に回動自在となっている。
【００５５】
次に、本実施例の作用について説明する。
【００５６】
上述したように、前立柱１３、後立柱１４、及び斜め支柱１７は任意の高さに設定することができるので、図１０に示すように、地面Ｇに段差があって、基礎１１が基礎１２よりも低い位置に設置されている場合、前立柱１３の高さを高くし、後立柱１４及び斜め支柱１７の高さを低くする。
【００５７】
また、図１１に示すように、地面Ｇに段差があって、基礎１２が基礎１１よりも低い位置に設置されている場合、後立柱１４及び斜め支柱１７の高さを高くし、前立柱１３の高さを低くする。
【００５８】
この場合、取付部材２０は縦梁１５に沿って縦梁１５の軸方向にスライド自在であり、且つ斜め支柱１７は基礎１２上の固定部材２４（厳密にはボルト２９）を中心に回動自在であるから、取付部材２０を縦梁１５上の所定の位置に容易に移動させることができる。
【００５９】
本実施例によれば、前立柱１３、後立柱１４、及び斜め支柱１７を任意の高さに設定することができるので、地面Ｇに段差があっても、縦梁１５を任意の角度に設定でき、その結果、太陽光発電パネルの地面に対する角度を所定の角度に容易に調整することが可能となる。
【００６０】
また、本実施例によれば、前立柱１３、後立柱１４、及び斜め支柱１７の高さ調整を、縦梁１５の下側だけから行うことができ、作業性が非常に向上する。
【００６１】
《実施例２》
図１２は実施例２を示している。本実施例では、下部が基礎１２に支持された斜め支柱１７に加えて、下部が基礎１１に支持された斜め支柱３４が設けられている。基礎１１の上には、実施例１で説明した固定部材２４が設けられ、この固定部材２４の付属部２６（図６及び図８参照）に斜め支柱３４の下部が回動自在に取り付けられている。
【００６２】
縦梁１５の中間部には取付部材３５が縦梁１５の軸方向にスライド自在に設けられ、この取付部材３５に斜め支柱３４の上部が連結されている。
【００６３】
図１３は、図１２のＢ部を拡大して示した図である。取付部材３５は、実施例１で示した取付部材２０と同様、縦断面がＨ型を成しており、その側壁３５Ａの上部に２個のボルト３５Ｂが、下部にボルト３５Ｃ，３５Ｄがそれぞれ設けられている。
【００６４】
２個のボルト３５Ｂによって、取付部材３５は縦梁１５に沿ってスライド可能であるとともに、取付部材３５を所定の位置に固定することができる。ボルト３５Ｃは、斜め支柱１７の上部柱部１７Ｂが取り付けられたブラケット３３を固定している。また、ボルト３５Ｄは、斜め支柱３４の上部柱部３４Ｂが取り付けられたブラケット３６を固定している。ブラケット３６には、ボルト３６Ａによって斜め支柱３４の上部柱部３４Ｂが取り付けられ、この上部柱部３４Ｂにはボルト３１によって斜め支柱３４の下部柱部３４Ａが取り付けられている。なお、斜め支柱１７はボルト３５Ｃを中心に回動自在であり、また、斜め支柱３４はボルト３５Ｄを中心に回動自在となっている。
【００６５】
次に、本実施例の作用について説明する。
【００６６】
前立柱１３、後立柱１４、斜め支柱１７に加えて、斜め支柱３４も任意の高さに設定することができるので、図１４に示すように、地面Ｇに段差があって、基礎１１が基礎１２よりも低い位置に設置されている場合、前立柱１３及び斜め支柱３４の高さを高くし、後立柱１４及び斜め支柱１７の高さを低くする。
【００６７】
また、図１５に示すように、地面Ｇに段差があって、基礎１２が基礎１１よりも低い位置に設置されている場合、後立柱１４及び斜め支柱１７の高さを高くし、前立柱１３及び斜め支柱３４の高さを低くする。
【００６８】
この場合、取付部材３５は縦梁１５に沿って縦梁１５の軸方向にスライド自在であり、且つ斜め支柱１７は基礎１２上の固定部材２４を中心に、斜め支柱３４は基礎１１上の固定部材２４を中心にそれぞれ回動自在であるから、取付部材３５を縦梁１５上の所定の位置に容易に移動させることができる。
【００６９】
本実施例によれば、前立柱１３、後立柱１４、斜め支柱１７、及び斜め支柱３４を任意の高さに設定することができるので、地面Ｇに段差があっても、縦梁１５を任意の角度に設定でき、その結果、太陽光発電パネルの地面に対する角度を所定の角度に容易に調整することが可能となる。
【００７０】
また、本実施例によれば、前立柱１３、後立柱１４、斜め支柱１７、及び斜め支柱３４の高さ調整を、縦梁１５の下側だけから行うことができ、作業性が非常に向上する。
【００７１】
《実施例３》
図１６〜図２０は実施例３を示している。本実施例では、太陽光発電パネル４０を太陽光発電パネル用架台１０に対して左右の横方向からスライドさせて、縦梁１５及び横梁１６の下側から太陽光発電パネル４０を所定の位置に固定できるようにしたことである。
【００７２】
本実施例では、図１７及び図１８に示すように、太陽光発電パネル４０の上下両端（図１７においては、左右が太陽光発電パネル４０の上下方向）を支持する略Ｌ字状の支持部材４０Ａが設けられている。支持部材４０Ａは横梁１６の上面に載置され、その下部先端４０Ｂは横梁１６の側面より横方向に突出している。
【００７３】
横梁１６の側面には、横方向に突出した上側突状１６Ａ及び下側突状１６Ｂが横梁１６の軸方向に沿って形成されている。そして、横梁１６の上面に載置された支持部材４０Ａは、その下部先端４０Ｂが上側突状１６Ａの上面に接している。
【００７４】
上記構成において、支持部材４０Ａは横梁１６の上面に沿って横梁１６の軸方向にスライド可能であり、このスライド時に、支持部材４０Ａの下部先端４０Ｂは横梁１６の上側突状１６Ａの上面に接しながらスライドする。
【００７５】
また、支持部材４０Ａの下部先端４０Ｂを、横梁１６の上側突状１６Ａと共に挟持して、太陽光発電パネル４０を所定の位置に固定する挟持部材４１が設けられている。この挟持部材４１は、上部挟持部４２と下部挟持部４３とから成っている。
【００７６】
図１９及び図２０は挟持部材４１を示している。上部挟持部４２は上面視で四角形を成し、その一側端に支持部材４０Ａの底部（下部先端４０Ｂ付近）の上面に当接する当接部４２Ａを有するとともに、他側端に下部挟持部４３に係合する係合部４２Ｂを有している。また、上部挟持部４２の上面には２つの突状４２Ｃ，４２Ｄが形成され、これら突状４２Ｃ，４２Ｄの間に外形四角形のナット４４が嵌装されている。
【００７７】
下部挟持部４３は、その一側端に横梁１６の上側突状１６Ａの下面に当接する当接部４３Ａを有するとともに、他側端に上部挟持部４２の係合部４２Ｂに係合する係合部４３Ｂを有している。また、下部挟持部４３は、下方に突出し且つＬ字型に折り曲げられた折り曲げ部４３Ｃを有し、この折り曲げ部４３Ｃの先端には、横梁１６の下側突状１６Ｂの下面に当接する当接部４３Ｄが設けられている。
【００７８】
また、下部挟持部４３の当接部４３Ａ，４３Ｄの側面にはそれぞれ凹凸面４３Ｅ，４３Ｆが形成されている。これら凹凸面４３Ｅ，４３Ｆは、縦断面で先端が斜め下方に向けられたノコギリ刃状を成している。そして、これら凹凸面４３Ｅ，４３Ｆは、横梁１６に軸方向に沿って形成された凹凸面１６Ｃ，１６Ｄ（図１８参照）にそれぞれ当接している。
【００７９】
挟持部材４１を用いて太陽光発電パネル４０を横梁１６の所定の位置に固定する場合、下部挟持部４３に形成されたボルト貫通孔４３Ｇ及び上部挟持部４２に形成されたボルト貫通孔４２Ｅにボルト４５を挿通し、このボルト４５をナット４４に螺合させて締め付ける。この場合、ナット４４は突状４２Ｃ，４２Ｄ間に嵌装されているので、空回りすることはない。
【００８０】
次に、本実施例の作用について説明する。
【００８１】
太陽光発電パネル４０を設置する場合、先ず、太陽光発電パネル４０の上下両端を支持する支持部材４０Ａを設け、この支持部材４０Ａの下部先端４０Ｂを横梁１６の上側突状１６Ａに合わせながら、折り曲げ部４３Ｃを横梁１６の上面に載せ、図１６の矢印Ｃ１又はＣ２方向にスライドさせる。
【００８２】
太陽光発電パネル４０を所定の位置までスライドさせたら、挟持部材４１を用いて太陽光発電パネル４０を所定の位置に固定する。すなわち、挟持部材４１のうち、上部挟持部４２の当接部４２Ａを支持部材４０Ａの底部（下部先端４０Ｂの近傍）の上面に当接させるとともに、下部挟持部４３の当接部４３Ａを横梁１６の上側突状１６Ａの下面に当接させる。このとき、下部挟持部４３の凹凸面４３Ｅ，４３Ｆを、横梁１６の凹凸面１６Ｃ，１６Ｄにそれぞれ当接させて押し付ける。
【００８３】
そして、ボルト４５をナット４４に螺合させて締め付ける。これにより、太陽光発電パネル４０の支持部材４０Ａの下部先端４０Ｂと横梁１６の上側突状１６Ａとが、上部挟持部４２の当接部４２Ａ及び下部挟持部４３の当接部４３Ａで強く押圧され、太陽光発電パネル４０を所定の位置に強固に固定することができる。
【００８４】
本実施例によれば、太陽光発電パネル４０を縦梁１５や横梁１６の下側からスライドさせることができるとともに、挟持部材４１におけるボルト４５の締め付け作業も縦梁１５や横梁１６の下側から行うことができる。すなわち、縦梁１５や横梁１６の上に上らなくてもボルト４５の締め付け作業を行うことが可能となる。
【００８５】
また、本実施例によれば、下部挟持部４３の凹凸面４３Ｅ，４３Ｆが横梁１６の凹凸面１６Ｃ，１６Ｄをそれぞれ押し付ける構造であるから、太陽光発電パネル４０をより一層強固に固定することが可能となる。
【００８６】
以上、本発明の実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【符号の説明】
【００８７】
１０  太陽光発電パネル用架台
１１，１２  基礎
１３  前立柱
１３Ａ  下部柱部
１３ＡＣ，１３ＡＤ  ボルト貫通孔
１３Ｂ  上部柱部
１３ＢＣ，１３ＢＤ  ボルト貫通孔
１４  後立柱
１４Ａ  下部柱部
１４ＡＣ，１４ＡＤ  ボルト貫通孔
１４Ｂ  上部柱部
１４ＢＣ，１４ＢＤ  ボルト貫通孔
１５  縦梁
１６  横梁
１７  斜め支柱
１７Ａ  下部柱部
１７ＡＣ，１７ＡＤ  ボルト貫通孔
１７Ｂ  上部柱部
１７ＢＣ，１７ＢＤ  ボルト貫通孔
１８，１９，２０  取付部材
２３，２４  固定部材
３１  ボルト
３２  ナット
３４  斜め支柱
３５  取付部材
４０  太陽光発電パネル
４０Ａ  支持部材
４１  挟持部材
【図１】
2016105680.tif 000003
【図２】
2016105680.tif 000004
【図３】
2016105680.tif 000005
【図４】
2016105680.tif 000006
【図５】
2016105680.tif 000007
【図６】
2016105680.tif 000008
【図７】
2016105680.tif 000009
【図８】
2016105680.tif 000010
【図９】
2016105680.tif 000011
【図１０】
2016105680.tif 000012
【図１１】
2016105680.tif 000013
【図１２】
2016105680.tif 000014
【図１３】
2016105680.tif 000015
【図１４】
2016105680.tif 000016
【図１５】
2016105680.tif 000017
【図１６】
2016105680.tif 000018
【図１７】
2016105680.tif 000019
【図１８】
2016105680.tif 000020
【図１９】
2016105680.tif 000021
【図２０】
2016105680.tif 000022